(57)【特許請求の範囲】
【請求項１】
ケース本体内に磁気テープを巻装した１つのテープリールが回転可能に収容され、テープの先端がリーダー部材に固定されて、ケース本体に設けた開口から装置のピン状又は鈎状の先端を有するテープ引き出し部材によって引き出されるテープカートリッジにおいて、リーダー部材はテープが巻き付けられる中央部材と、その上下端に取り付けられ装置のテープ引き出し部材と係合する係合部材とからなり、前記係合部材には、装置のテープ引き出し部材との係合凹部を複数個所形成し、前記中央部材に取り付けた状態で鏡面対称となる係合凹部を有するように、同一の構造の前記両係合部材を構成したことを特徴とする、テープカートリッジ。
【請求項２】
前記係合部材は同一形状の細長板状部材の一側面側の両端部に装置の引き出し部材の引き出しピンと係合する係合部を設け、前記係合部から中央に向かう案内用傾斜部をそれぞれ設けたことを特徴とする請求項１のテープカートリッジ。
【請求項３】
前記係合部材は同一形状の細長板状部材の両面に互いに向かい合った時に鏡面対称となる形状の係合凹部を形成すると共に、細長部材の両端に、テープを固定するための中央ピン部材の両端を嵌合するための嵌合孔を形成したことを特徴とする請求項１のテープカートリッジ。
【請求項４】
リーダー部材は、さらに、前記中央部材にテープを固定するクランプ部材を有する請求項１ないし３のいずれかのテープカートリッジ。
【請求項５】
前記中央部材は中間部に径大部を有する円筒状ピン部材からなり、前記径大部の両側の小径部にリーダーテープの分岐した先端部が保持されるようになっている請求項１ないし３のいずれかのテープカートリッジ。
【発明の詳細な説明】
【０００１】
【発明の属する技術分野】
本発明は磁気記録再生装置に用いられる１リールタイプのテープカートリッジに関し、さらに詳しくはこの種のテープカートリッジにおけるテープリーダー部材の改良に関する。
【０００２】
【従来の技術】
従来、１リールタイプのテープカートリッジはコンピュータ用のバックアップ等のデータ記憶用に広く使用されている。１リールタイプのテープカートリッジでは、磁気テープの先端に取り付けたリーダーテープ又はリーダー部材を、磁気記録再生装置又はドライブに設けたテープ引き込み部材により引き出し、次いで装置内のテープ走行経路に沿ってテープを掛け通し、テープ端部を装置内に常駐している他のリールのハブに固定するようになっている。テープの記憶あるいは再生動作の終了時にはテープは逆の方向に駆動されてカートリッジ内に巻き込まれ、最後にリーダーテープがカートリッジの所定位置に戻る。
【０００３】
従来の１リールタイプのテープカートリッジにおけるリーダー部材の代表的なものには、テープの先端に、装置側のテープ引き込み部材が掴むピン、ブロック等を取り付けたもの（特開昭５８−１６９３８０号等）と、テープの先端に比較的腰の強い弾性のあるリーダーテープの先端に係止開口を設け、装置側の比較的腰の強い弾性のある引き込み部材の鈎状部材をこの係止開口に係止させて引き出すようにしたもの（特開昭６２−５０２６４１号）がある。
【０００４】
図５は特開昭６２−５０２６４１号の技術を利用した１リールタイプのテープカートリッジ１０３の分解斜視図であり、上ケース１０１と下ケース１０２とからなるカートリッジ本体内に、上フランジ１０４及び下フランジ１０５を有する単一のテープリール１０７を収納し、圧縮ばね１０８によりこのテープリール１０７を下ケース１０２の側へ常時偏倚させる。テープリール１０７の上フランジ１０４に設けたハブ（図示せず）に巻回された磁気テープ１０６の先端部にはリーダーテープ１０９がスプライシングにより接続されている。テープリール１０７は上フランジ１０４の中心部に形成された円形凹部（図示せず）内に圧入固定されるリング上にベアリング（図示せず）を有し、そのベアリングにリール回転軸（図示せず）が取り付けられることによりリール回転軸を中心として回転するようになっている。テープリール１０７の上フランジ１０４の周部には歯部１１４が形成され、それに対応して上ケース１０１の内面１０１ａにはねじりコイルばね１１０及び１１１により歯部１１４の方へ常時偏倚された一対のブレーキ部材１１２、１１３の係止部１１５、１１６が歯部１１４に係止することによりカートリッジの不使用時にテープリールの回転を阻止している。又、不使用時には磁気テープ１０６がテープリール１０７に完全に巻かれた状態にあり、リーダーテープ１０９の先端に形成された係止穴が、本体１０３の側壁近傍に設けられた係止フック１１７に係止されるようになっている。又、磁気テープ１０６をカートリッジ本体１０３の外部へ引き出すための開口部１２０は、カートリッジ本体１０３に対して開閉する開閉蓋１１８により閉鎖された状態とされている。
【０００５】
使用に当たり、このカートリッジが記録再生装置に装着されると、ブレーキ部材１１２、１１３が自動的に解除され、またテープリール１０７が圧縮ばね１０８に抗して持ち上げられ回転可能状態となる。同時に開閉蓋１１８は装置側の手段により開放状態とされる。
装置側に設けたテープ引き出し部材が開放部から侵入してきてリーダーテープ１０９の開口に係合し、上述のようにリーダーテープと共に磁気テープを引き出し、装置の所定走行経路に掛け通す。
【０００６】
リーダーテープ１０９としては厚手のポリエチレンテレフタレート（ＰＥＴ）のような腰の強い合成樹脂製のばね材が使用され、図６のようにその先端部には記録再生装置側のテープ引き出し部材１２２の先端に設けたタブ１２１（フックを形成する）が係止する開口１２０が形成されている。開口１２０にはタブ１２１の確実な係止を行うための切り欠き部１２３を有し、ここにタブ１２０を支持する引き出し部材のネック部が嵌合するようになっている。図６は引き出し部材がカートリッジに侵入してきたときに（ａ）、（ｂ）、（ｃ）の順で引き出し部材１２２とリーダーテープ１０９が係止していく様子を示す。
【０００７】
【発明が解決しようとする課題】
従来のタイプのテープ引き込み機構には次のような問題点がある。装置のテープ引き出し部材１２２は、図６のように装置内部に設けられたリールに接続されたテープ状態であり、テープカートリッジ内のリーダーテープの開口１２０に係合するタブ１２１を有している。装置の引き出し部材１２２とリーダーテープ１０９の先端部は共にテープ体であるため、反り（カール）が発生してしまう。両者にカールが発生すると、カートリッジを装置に装着したときに装置のテープ引き出し部材１２２がリーダーテープ１０９に係合できないことがある。
【０００８】
これに対して、リーダーテープを使用しないで磁気テープの先端を直接剛性のリーダー部材に結合することにより、磁気テープの引き出し及び引き込み動作を安定化させることができるが、リーダー部材の構造はＰＥＴとは異なり、若干複雑な構造を有するので、製造工程における組立に問題がある。本発明はこのような安定化した剛性のリーダー部材において、製造工程を単純化するのに適した構造を提供することを目的とする。
【０００９】
【課題を解決するための手段】
本発明は、ケース本体内に磁気テープを巻装した１つのテープリールが回転可能に収容され、テープの先端がリーダー部材に固定されて、ケース本体に設けた開口から装置のピン状又は鈎状の先端を有するテープ引き出し部材によって引き出されるテープカートリッジにおいて、リーダー部材はテープが巻き付けられる中央部（ピン状部材）と、その上下端に取り付けられる装置のテープ引き出し部材と係合する係合部材とからなり、前記係合部材には装置のテープ引き出し部材との係合凹部を複数個所形成することにより、同一の構造の係合部材から両係合部材を構成することを可能にする。
係合部材としては、同一形状の細長板状部材の一側面側の両端部に装置の引き出し部材の引き出しピンと係合する係合部を設け、前記係合部から中央に向かう案内用傾斜部をそれぞれ設けるか、又は両面に互いに向かい合った時に互いに鏡面対称となる係合凹部を形成すると共に、細長部材の両端に、テープを固定するための中央ピン部材の両端を嵌合するための嵌合孔を形成する。
【００１０】
【発明の実施の形態】
以下本発明を実施例を参照して詳しく説明する。
図１は本発明の実施例の分解斜視図、図２は上ケースとリーダー部材の相互関係を示す斜視図及び図３はリーダー部材の詳細を示す斜視図である。図４はリーダー部材の他の例の詳細を示す斜視図である。
【００１１】
図１を参照するに、本発明のテープカートリッジが上下反転させて図示されている。これは実際の組立の際の向きを示すものである。完成したカートリッジは正規の上下関係で記録再生装置に装着される。このカートリッジはリーダー部材に関係した部分を除いて図５に示したカートリッジの構造と同様な構造を有している。
上ケース１と下ケース２とはねじ２３により周辺で合体されてケースを構成する。上下ケースにより形成されるケースの内部空間には磁気テープを巻装したリール３が収納される。
リール３は、上フランジ３１と、これに一体に形成したハブ３３と、下フランジ３２とからなる。ハブ３３のテープ巻回部より内側の下面側は閉鎖されており、装置の駆動部に係合する係合歯部３４を備える。ハブ３３の上面側は開口した凹部になっており、内部にはリールの回転を良好にするためのベアリング４と、ベアリング４に接触するボール５１及びボールを受ける凹部を有する支持部材５２よりなるリール回転支持体５が配置され、支持部材５２の上端は上ケースの開口に支持され、支持部材の周りに装着されるコイル状圧縮ばね６により常時ベアリング４及びリール回転支持体５をリールに向けて押しつけている。
上フランジ３１の外周には凹凸部３５が形成されており、ケース内の一つの対角部に設けられるピン１３、１４にコイル状ねじりばね７２及びブレーキ部材７１の軸孔を嵌合した２つのブレーキ機構により、不使用時にブレーキ部材７１を上フランジ３１の周部の凹凸部３５に係止させてリールの回転を防止する。
テープ先端部はリーダー部材９に取り付けられる。リーダー部材９は中央ピン部材９１と、その上下端に取り付けた係合部材９２と、テープを中央ピン部材９１にクランプするためのクランプ部材９３とよりなる。テープは中央ピン部材９１に巻き付けられた後クランプ部材９３をその上から嵌合することにより固定される。リーダー部材９はケースの側面に設けられた開口部の内面付近にある収容部１１に収容されている。
その外側には回動するドア部材８１が取り付けられている。ドア部材８１は上ケース１のピン１５に枢着され、ピン１５の周りに装着されたねじりコイルばね８４により常時閉鎖方向に偏倚されており、不使用時には圧縮ばね８３により下方に押されているドアロック部材８２によりロックされている。なお、ケース側部の一部には誤消去防止部材１２がケース側面に沿って摺動できるように収容されている。
【００１２】
図２はリーダー部材９とリーダー部材収容部１１の関係を示し、（ａ）は分解図、（ｂ）はリーダー部材がリーダー部材収容部に収容された状態を示す。リーダー部材９の上下の係合部材９２は上下ケースの同一位置に形成されたリーダー部材収容部１１に嵌合する。テープはケース側部に形成されたテープガイドスロット１６を介して引き出され、クランプ部材９３（図１）によりリーダー部材の中央ピン部材９１に固定されている。なお、クランプ部材９３の中央ピン部材９１への嵌着は図８のように係合部材９２の側から行われる。
【００１３】
別形態として、クランプ部材を使用しないでリーダー部材を中央ピン部材に固定することもできる。図９はその一例を示すもので、リーダーテープ９８は図１０のように先端部に切除部１００を有することによりその両側に中央ピン部材に巻き付けて固定するための先端部９９、９９を設けている。一方、図９のように中央ピン部材９１はリーダーテープの先端部９９、９９を巻き付けるための小径部８９、８９と、リーダーテープ９８の極端な偏りを防止するための径大部９０を有する。リーダーテープ９８はその先端部９９、９９をピン８９、８９の周りに巻き付け、リーダーテープ上に重畳させ、超音波等により融着することによりピン部材９１に固定される。
以下で述べる各実施例はこれらのクランプを使用するタイプ、使用しないタイプのいずれの構造に対しても適用できる。
【００１４】
図３は本発明の第１の実施例によるリーダー部材９の構成を示す。上下の係合部材９２は両端が弧状に形成された同一の構造の合成樹脂製細長部材よりなり、その両端部には、金属製の中央ピン部材９１の両端が嵌合する嵌合孔９６、９７が形成され、そして一方の面には片側から切り込まれたほぼ直角三角形状の係合凹部９４と、他方の面には反対側から切り込まれた鏡面対称の形状を有する係合凹部９５が形成されている。
【００１５】
図７は引き出し部材１２２の例を示し、図７（ａ）ではＰＥＴのような合成樹脂製ばね材から形成された板状部の先端に係止ピン１２３を設けたものであり、図７（ｂ）はＰＥＴのような合成樹脂製ばね材から形成された板状部の先端を折り曲げて永久変形させた係止鈎部１２４を有する。従って、係合凹部９４、９５の形状は、装置側の引き出し部材の形状に適合したものとし、相互係合を円滑にするために凹部の壁はテーパしている。
【００１６】
次に、図３に示した実施例の部材を組み立てるには、一方の係合部材の係合凹部９４とこれと対称な他方の係合部材の係合凹部９５とを向かい合わせにした状態で、中央ピン部材９１を両結合部材の嵌合孔９６及び９７にそれぞれ嵌合して固定する。
【００１７】
図４は本発明の他の実施例を示す斜視図である。上下の係合部材９２は両端が弧状に形成された同一の構造の合成樹脂製細長部材よりなり、その両端部には、金属製の中央ピン部材９１の両端が嵌合する嵌合孔９６が形成され、そして一方の面には一側面から切り込まれた係合凹部９４、９４を有する。係合凹部には係合部材の両端部に装置の引き出し部材の引き出しピンと係合する係合部９４−１、９４−１を設け、前記係合部９４−１、９４−１から中央部９４−２に向って案内用傾斜部をそれぞれ設ける。
【００１８】
次に、図４に示した実施例の部材を組み立てるには、両方の係合部材９２、９２の係合凹部９４のある側を互いに向かい合わせた状態で、中央ピン部材９１を両結合部材の嵌合孔９６にそれぞれ嵌合して固定する。この例でも上下の係合部材は同一構造を有するので、同一の金型で成形でき、また組み込み作業も簡単になる。
【００１９】
【発明の効果】
以上のように、本発明によれば同一の部材を使用することにより両係合部材を構成することができるので、樹脂成型金型として同一の金型を使用すれば足り、製造コストが低下する。なお、図３、図４の実施例のリーダー部材を上下反転すると、係合凹部は図の反対側（紙面の右奥側）を向く。そのため、引き出し部材が外側から接近する場合にも本発明は適合できる。
【図面の簡単な説明】
【図１】本発明の実施例によるテープカートリッジの分解斜視図である。
【図２】本発明の実施例の上ケースとリーダー部材との関係を示す図であり、（ａ）は分解図、（ｂ）はテープカートリッジの不使用時の両者の関係を示す図である。
【図３】本発明の第１実施例によるリーダー部材を示す斜視図である。
【図４】本発明の第２実施例によるリーダー部材を示す斜視図である。
【図５】従来のテープカートリッジの分解斜視図である。
【図６】従来のリーダー部材とテープ引き出し部材との関係を示す図である。
【図７】本発明で組み合わせて使用するテープ引き出し部材の部分斜視図である。
【図８】  クランプ部材の取り付け状態を示す図である。
【図９】クランプを使用しないタイプのリーダー部材とリーダーテープ先端部の関係を示す斜視図である。
【図１０】クランプを使用しないタイプのリーダーテープ先端部を示す図である。
【符号の説明】
１  上ケース
２  下ケース
３  リール
４  ベアリング
５  リール回転支持体
６  圧縮ばね
９  リーダー部材
３１  上フランジ
３２  下フランジ
３３  ハブ
３４  係合歯部
３５  凹凸部
５１  ボール
５２  ボール支持部材
７１  ブレーキ部材
７２  ねじりばね
８１  ドア部材
８２  ドアロック部材
８３  圧縮ばね
８４  ねじりばね
８９  小径部
９０  径大部
９１  中央ピン部材
９２  係合部材
９４、９５  係合凹部
９４−１  係合部
９４−２  中央部
９６、９７  嵌合孔
９８  リーダーテープ
９９  リーダーテープ先端部
１００  切除部
【図１】
0004112160.tif 000002
【図２】
0004112160.tif 000003
【図３】
0004112160.tif 000004
【図４】
0004112160.tif 000005
【図５】
0004112160.tif 000006
【図６】
0004112160.tif 000007
【図７】
0004112160.tif 000008
【図８】
0004112160.tif 000009
【図９】
0004112160.tif 000010
【図１０】
0004112160.tif 000011